(57)【要約】  【課題】  二段式駆動回路により、発光ダイオードパネルの輝度を安定させる改良設計を提供する。  【解決手段】  有機発光ダイオードパネルのＭＯＳドライバの前に、初期充電回路と定電流回路を加え、スイッチは、ＭＯＳドライバのゲートを駆動する初期充電回路、或いは、定電流回路を選択するのに用いられ、ＭＯＳドライバのゲートを駆動する初期は、初期充電回路を選択し、その後、定電流回路に切り換える。【選択図】図６
2007047668.tif 000002
【特許請求の範囲】
【請求項１】
有機発光ダイオードパネルの二段式駆動回路であって、前記有機発光ダイオードパネルのＭＯＳドライバの前に、初期充電回路と定電流回路を加え、スイッチは、前記ＭＯＳドライバのゲートを駆動する前記初期充電回路、或いは、前記定電流回路を選択するのに用いられ、前記ＭＯＳドライバのゲートを駆動する初期は、前記初期充電回路を選択し、その後、前記定電流回路に切り換えることを特徴とする有機発光ダイオードパネルの二段式駆動回路。
【請求項２】
前記初期充電回路は電流ミラー回路で、二行のＭＯＳ装置からなり、一行の前記ＭＯＳ装置は、第一可変抵抗器と直列され、もう一つは、出力電圧を提供し、出力電圧は、前記第一可変抵抗器の抵抗を調整することにより制御されることを特徴とする請求項１に記載の有機発光ダイオードパネルの二段式駆動回路。
【請求項３】
前記定電流回路は電流ミラー回路で、二行のＭＯＳ装置からなり、一行の前記ＭＯＳ装置は、第二可変抵抗器と直列され、もう一つは、出力電圧を提供し、出力電圧は、前記第二可変抵抗器の抵抗を調整することにより制御されることを特徴とする請求項１に記載の有機発光ダイオードパネルの二段式駆動回路。
【請求項４】
前記第一可変抵抗器の抵抗が調整されて、初期充電期間の前記ＭＯＳドライバを飽和領域で作動させ、且つ、前記ＭＯＳドライバの電流を迅速に安定させて、前記有機発光ダイオードを充分に発光させると共に、初期充電期間を所定期間維持して、変化させないことを特徴とする請求項２に記載の有機発光ダイオードパネルの二段式駆動回路。
【請求項５】
前記第二可変抵抗器の抵抗が調整されて、定電流期間の前記ＭＯＳドライバを飽和領域で作動させ、且つ、前記ＭＯＳドライバの電流を迅速に安定させて、前記有機発光ダイオードを充分に発光させることを特徴とする請求項３に記載の有機発光ダイオードパネルの二段式駆動回路。
【発明の詳細な説明】
【技術分野】
【０００１】
本発明は、有機発光ダイオードパネルの輝度改良に関するものであって、特に、二段式駆動回路により、発光ダイオードパネルの輝度を安定させる改良設計に関するものである。
【背景技術】
【０００２】
従来の有機発光ダイオードＯＬＥＤディスプレイパネルの駆動回路が図１で示される。図を簡潔にするため、図１では、８×３のＯＬＥＤマトリクスだけが示されている。定電流源ＩＳＥＧは、スイッチＳＥＧ１、ＳＥＧ２、、、ＳＥＧ８により、それぞれ、八列のＯＬＥＤに接続される。八列のＯＬＥＤは三行に排列され、抵抗Ｒ１、Ｒ２、Ｒ３（これは、回路の抵抗で、実体のある抵抗器ではない）とスイッチＣＯＭ１、ＣＯＭ２、ＣＯＭ３に接続され、接地する。
【０００３】
例えば、スイッチＣＯＭ１、ＳＥＧ１、及び、ＳＥＧ３は閉回路に接続され、他のスイッチは接続されない時、ＯＬＥＤ１１とＯＬＥＤ３１だけ電流が流れて、発光し、その他のＯＬＥＤはオフになる。その他同様である。
【０００４】
ＯＬＥＤを流れる電流が更に増える時、ＯＬＥＤの輝度も明るくなる。縦の行中の幾つかのＯＬＥＤに電流が通過し、これらの電流が、抵抗Ｒ１、Ｒ２、或いは、Ｒ３を通過する場合、抵抗Ｒ１、Ｒ２、或いは、Ｒ３上に、多倍数の電圧降下が生じる。よって、ＯＬＥＤの電圧と電流源が減少し、更に、電流が減少するので、ＯＬＥＤの輝度は低下し、不安定になる。
【０００５】
図２は、ＯＬＥＤ駆動回路の等価回路を示す図である。ＯＬＥＤ２０は、ダイオードＤ２１と抵抗Ｒ２２が直列で、ダイオード２１とコンデンサＣ２３は並列接続されている。ＭＯＳドライバ２４は、図１の定電流源ＩＳＥＧとスイッチＳＥＧＸとして作用する。
【０００６】
図３は、図２のＯＬＥＤ駆動回路の電流“Ｉ”と時間“Ｔ”間の関係を示す図である。図２のコンデンサＣ２３を迅速に充電するために、しきい電流は迅速に増加しなければならず、図３の左側が高い弧線（初期充電期間）で示される。コンデンサＣ２３が充電された後、電流は、徐々に、定電流に回復し（定電流期間）、ＯＬＥＤを発光させる。
【０００７】
しかし、図１で示される電流が、抵抗Ｒ１、Ｒ２、或いは、Ｒ３を流れ、抵抗Ｒ１、Ｒ２、或いは、Ｒ３上に多倍数の電圧降下が生じるので、ＯＬＥＤの電圧と電流源が減少して、電流が減少し、ＯＬＥＤの輝度も低下し、不安定になる。
【０００８】
この他、肉眼の視覚は残留するため、人が感じるＯＬＥＤ輝度は、図３のしきい電流期間と定電流期間の電流と共同で生成される効果である。前述のように、電流が抵抗Ｒ１、Ｒ２、或いは、Ｒ３を流れて、輝度を低下させる場合、図３の初期充電期間の充電速度を増加させて、初期充電期間を短縮させ、肉眼では輝度が不変であるように感じさせるのが、現在の一般的な方法である。
【０００９】
改善方法の回路が図４で示され、ＭＯＳドライバ２４のゲートの前に、調整回路を加え、図４の左側で示されるように、ＭＯＳ４１、コンデンサ４２、可変レジスタ４３、４４が、図で示されるように接続されている。制御信号ＳＷ４５がＭＯＳ４１のゲートに入力されて、ＭＯＳ４１を導通させ、比較器４６の二つの入力端間の電圧差を生成し、比較器４６に信号を出力させて、信号処理回路４７を駆動する。最後に、パルス幅変調（Ｐｕｌｓｅ  Ｗｉｄｔｈ  Ｍｏｄｕｌａｔｉｏｎ、ＰＷＭ）信号を生成して、ＭＯＳ２４のゲートを駆動し、ＭＯＳ２４を導通させ、これにより、電流がＯＬＥＤ２０に流れて、ＯＬＥＤ２０が発光する。可変レジスタ４３、４４が調整可能なので、ＰＷＭ信号の幅と図３の初期充電期間を変更し、これにより、ＯＬＥＤ２０の輝度が調整される。
【００１０】
しかし、図３の初期充電期間を変更する方法は、ＯＬＥＤ２０のコンデンサＣ２３が過大である場合、電流が定電流の期間が長いので、輝度が適切に制御されず、図１で示される電流が抵抗Ｒ１、Ｒ２、或いは、Ｒ３を通過して、ＯＬＥＤの輝度を低下させる問題が依然として存在している。
【発明の開示】
【発明が解決しようとする課題】
【００１１】
解決しようとする課題は、二段式駆動回路を提供し、発光ダイオードパネルの輝度を安定させることにある。
【課題を解決するための手段】
【００１２】
有機発光ダイオードパネルのＭＯＳドライバ前に、初期充電回路、及び、定電流回路を加え、スイッチは、ＭＯＳドライバのゲートを駆動するのに用いられる初期充電回路、或いは、定電流回路を選択し、発光ダイオードパネルを駆動する初期は、初期充電回路を選択し、その後、スイッチが定電流回路を選択する。
【００１３】
初期充電回路は、一種の電流ミラー回路で、二行のＭＯＳ装置からなり、ＭＯＳ装置の一行は第一可変抵抗器に直列され、もう一つは、出力電圧を提供し、出力電圧は、第一可変抵抗器の抵抗を調整することにより制御される。
【００１４】
第一可変抵抗器の抵抗が調整され、ＭＯＳドライバは、初期充電期間中、飽和領域で作動し、ＭＯＳドライバの電流を安定させ、ＯＬＥＤを発光させる。
【００１５】
定電流回路は、一種の電流ミラー回路で、二行のＭＯＳ装置からなり、ＭＯＳ装置の一行は第二可変抵抗器に直列され、もう一つは、出力電圧を提供し、出力電圧は、第二可変抵抗器の抵抗を調整することにより制御される。
【００１６】
第二可変抵抗器の抵抗が調整され、ＭＯＳドライバは、定電流期間中、飽和領域で作動し、ＭＯＳドライバの電流を安定させ、ＯＬＥＤを発光させる。
【発明の効果】
【００１７】
本発明の有機発光ダイオードパネルの二段式駆動回路は、発光ダイオードパネルの輝度を安定させるという利点がある。
【発明を実施するための最良の形態】
【００１８】
図５は、本発明装置の回路図であって、初期充電回路５１と定電流回路５２は、それぞれ、ＭＯＳドライバ２４の初期充電期間と定電流期間において、駆動電圧を提供し、切換えスイッチ５３を切り換え用とする。可変抵抗器５４、５５は、それぞれ、ＭＯＳドライバ２４のゲート電圧を調整するのに用いられる。ＭＯＳ２４は、ＯＬＥＤ２０を駆動して発光させ、ＯＬＥＤ２０下面に、抵抗５６（作用は、図１のＲ１、Ｒ２、或いは、Ｒ３と相同である）を連接している。
【００１９】
図６は、本発明の初期充電回路５１と定電流回路５２の内部構造を示す回路図である。
【００２０】
初期充電回路５１は電流ミラー回路で、ＭＯＳ５１１、５１２、５１３、５１４からなり、図で示されるように、接続、排列されている。可変抵抗器５４の抵抗を調整するのは、即ち、ＭＯＳ５１１の電流を調整し、同時に、電流ミラー回路のため、ＭＯＳ５１２、５１３、５１４の電流を調整することである。A点の電圧は、ＭＯＳ５１２のゲートに接続して出力され、ＭＯＳ２４のゲートの電圧となる。A点の電圧は、可変抵抗器５４の調整を受けて変化し、ＭＯＳ２４のゲートに送られて、ＭＯＳ２４の電流を制御する。
【００２１】
定電流回路５２も一種の電流ミラー回路で、ＭＯＳ５２１、５２２、５２３、５２４からなり、図で示されるように、接続、排列されている。可変抵抗器５５の抵抗を調整するのは、即ち、ＭＯＳ５２１の電流を調整し、同時に、電流ミラー回路のため、ＭＯＳ５２２、５２３、５２４の電流を調整することである。B点の電圧は、ＭＯＳ５２２のゲートに接続して出力され、ＭＯＳ２４のゲートの電圧となる。B点の電圧は、可変抵抗器５５の調整を受けて変化し、ＭＯＳ２４のゲートに送られて、ＭＯＳ２４の電流を制御する。
【００２２】
図７は、本発明による二段式駆動回路が形成するＯＬＥＤ駆動電流Ｉと時間Ｔの関係図である。初期充電期間の電流は、公知技術のように高すぎないが、充分に、ＯＬＥＤを発光させることができる。初期充電期間は不変で維持され、初期充電期間の中期と後期も、定電流を維持する。可変抵抗器５４の抵抗の調整効果で、ＭＯＳ２４を飽和領域で作動させる。これにより、図１で示される縦の一行中の幾つかのＯＬＥＤが電流を通しても、これらの電流が、抵抗５６（図１のＲ１、Ｒ２、或いは、Ｒ３の作用と相同）を流れる時、抵抗５６上に多倍数の電圧降下が生じるが、ＭＯＳ２４が飽和領域で作動するので、ＯＬＥＤに充分な電流を供給でき、ＯＬＥＤの輝度は、衰減しない。
【００２３】
定電流期間中、可変抵抗器５５の抵抗を調整し、ＭＯＳ２４も飽和領域で作動させる。これにより、図１で示される縦の一行の幾つかのＯＬＥＤに電流が流れても、これらの電流が抵抗５６（図１のＲ１、Ｒ２、或いは、Ｒ３の作用と相同）を流れる時、抵抗５６上に多倍数の電圧降下が生じるが、ＭＯＳ２４が飽和領域で作動するので、ＯＬＥＤに充分な電流を供給でき、ＯＬＥＤの輝度は、衰減しない。
【００２４】
図７中は、初期充電期間と定電流期間の電流差異が小さく、初期充電期間の初期電流は、公知技術のように高すぎないが、ＯＬＥＤを発光させるのに充分で、初期充電の期間を不変に維持し、ＯＬＥＤの輝度を安定させる。
【００２５】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明明の保護範囲は、特許請求の範囲で指定した内容を基準とする。
【図面の簡単な説明】
【００２６】
【図１】公知のＯＬＥＤディスプレイパネルの駆動回路を示した図である。
【図２】ＯＬＥＤ駆動回路の等価回路を示した図である。
【図３】図２のＯＬＥＤ駆動回路の電流“Ｉ”と時間“Ｔ”間の関係を示す図である。
【図４】ＯＬＥＤディスプレイパネルの輝度の安定性を改善する公知の回路を示す図である。
【図５】本発明の回路を示す図である。
【図６】本発明の回路を示す図である。
【図７】本発明の二段式駆動回路による電流“Ｉ”と時間“Ｔ”間の関係を示す図である。
【符号の説明】
【００２７】
ＳＥＧ、ＣＯＭ    スイッチ
Ｒ、５６    抵抗
Ｄ    ダイオード
Ｃ、４２    コンデンサ
ＳＷ４５    スイッチ信号
４３、４４、５４、５５    可変抵抗器
４６    比較器
４７    信号処理回路
５１    初期充電回路
５２    定電流回路
５３    切換えスイッチ
【図１】
2007047668.tif 000003
【図２】
2007047668.tif 000004
【図３】
2007047668.tif 000005
【図４】
2007047668.tif 000006
【図５】
2007047668.tif 000007
【図６】
2007047668.tif 000008
【図７】
2007047668.tif 000009